(57)【要約】      （修正有）【課題】ストラップが身体により密着し、容易に捻れることがなく、それにより首に装着されているときにその型押しまたは印刷面が外方向に人目にさらされる。【解決手段】  ストラップ１０と取付／接続要素とからなるランヤード組立体において、前記ストラップ１０が、Ｖ字形に互いに角度をなして接合されて、もって前記取付／接続要素が配設される係合部分１１を伴う閉じたループを形成する２つの隣接する対向端部を有する扁平な首掛け用ストラップ１０からなるランヤード組立体。前記係合部分１１は、前記ストラップ１０が身体により密着するとともに、捩れることがないような態様に形成され、もって該ストラップ１０の型押しまたは印刷面が常に完全に見えるようになる。【選択図】図２
2007111511.tif 000002
【特許請求の範囲】
【請求項１】
ストラップと取付／接続要素とからなるランヤード組立体において、前記ストラップは互いにＶ字形に角度をなして接合され、もって前記取付／接続要素が配設される係合部分（１１）を伴う閉じたループを形成する２つの隣接する対向端部を有する扁平な首掛け用ストラップ（１０）であって、前記係合部分は前記ストラップ（１０）が身体により密着するとともに、捩れることがなくなるような態様に形成されて、もって前記ストラップの型押しまたは印刷面が常に完全に見えるようにされていることを特徴とするランヤード組立体。
【請求項２】
前記２つの隣接する対向端部は、１°〜１２０°の範囲内の角度をなして接合されることを特徴とする請求項１に記載のランヤード組立体。
【請求項３】
前記係合部分は、縫い合わせることによって互いに接合されることを特徴とする請求項２に記載のランヤード組立体。
【請求項４】
前記係合部分は、前記２つの隣接する対向端部が側方かつ内方に部分的に９０°折り曲げられ、かつ長手線（１４）に沿って縫い合わされるとともに、然る後に後方に１８０°折り返されて、さらに横線（１５）に沿って前記端部の全幅を横切って縫い合わされることによって形成されることを特徴とする請求項３に記載のランヤード組立体。
【請求項５】
前記２つの隣接する対向端部は、更に、偏心８の字形ループ状に形成されることができ、もって前記係合部分が前記２つのループ間に配置されうることを特徴とする請求項１に記載のランヤード組立体。
【請求項６】
前記８の字形ループの小さい方のループ（１８）は、取付要素または接続要素を取り付けるために用いられ、下部に配置されることを特徴とする請求項５に記載のランヤード組立体。
【請求項７】
前記係合部分によって保持される前記取付要素は、嵌合部材（１３）が移動可能に取り付けられる固定クラスプ（１２）からなることを特徴とする請求項１〜６のいずれかに記載のランヤード組立体。
【請求項８】
前記係合部分は、縫い合わせることによって互いに接合されることを特徴とする請求項５または６に記載のランヤード組立体。
【請求項９】
前記係合部分は、接着することによって互いに接合されることを特徴とする請求項１、２、５、６のいずれかに記載のランヤード組立体。
【請求項１０】
前記係合部分は、１個以上のハトメによって互いに接合されることを特徴とする請求項１、２、５、６のいずれかに記載のランヤード組立体。
【請求項１１】
前記係合部分は、１個以上のリベットによって互いに接合されることを特徴とする請求項１、２、５、６のいずれかに記載のランヤード組立体。
【発明の詳細な説明】
【技術分野】
【０００１】
本発明は、ランヤード、特に自身のストラップの印刷面を好適な態様で表示して、前記印刷面が常に完全に人目にさらされるようになるランヤード組立体に関する。
【背景技術】
【０００２】
身分証明書または携帯電話等の特定の物体を繋止する際に用いられる従来のランヤードは、金属性接続要素によって互いに結合され、もって首に装着するための大きめのループと、前記物体が繋止される鍵輪、フックまたはクリップ等の接続要素を取り付けるための下部の小さめのループとをそれぞれ形成する２つの隣接する対向端部を有するストラップまたはコードからなる。さらに、広告宣伝効果のために、拡幅される前記ストラップの幅に型押しおよび印刷が施されることがますます一般的になってきている。
【０００３】
しかしながら、前記ストラップは、首および身体上において容易に捩れうる一方で、使用時において、その端部が互いに重複する態様で結合されるため、もってストラップの型押しまたは印刷面が完全に人目にさらされるようにすることができなくなるとともに、これによりその美的かつ広告宣伝的意義に対して負の効果を及ぼす。
【発明の開示】
【発明が解決しようとする課題】
【０００４】
したがって、本発明の目的は、従来技術における前記欠点を解消するとともに、身体により密着し、かつ容易に捩れることがなく、それにより首に装着されているときにその型押しまたは印刷面が常に外方向に人目にさらされるランヤード組立体を提供することにある。
【課題を解決するための手段】
【０００５】
本発明の技術的解決策は、ストラップと取付／接続要素とからなるランヤード組立体において、前記ストラップが、Ｖ字形に互いに角度をなして接合されて、もって前記取付／接続要素が配設される係合部分を有する閉じたループを形成する２つの隣接する対向端部を有する扁平な首掛け用ストラップであって、前記係合部分は、前記ストラップが身体により密着するとともに、捩れることがなくなるような態様に形成されて、これにより前記ストラップの型押しまたは印刷面が常に完全に人目にさらされうることを特徴とするランヤード組立体を提供することである。
【０００６】
代替手段として、前記２つの対向端部は、小さい方のループが下部に配置されて取付／接続要素を取り付けられる偏心８の字形ループ状に形成されうる。
【０００７】
好ましくは、前記取付要素は、嵌合部材が移動可能に取り付けられる固定クラスプから構成されうる。
【０００８】
好ましくは、前記２つの隣接する対向端部は、１°〜１２０°の範囲内の角度をなして接合され、代替的には縫い合わせの態様で互いに接合される。本発明の一の実施形態によれば、前記端部は内方に部分的に９０°折り曲げられ、かつ長手線に沿って縫い合わされるとともに、然る後に後方に１８０°折り返されて、さらに横線に沿って全幅を横切って縫い合わされる。
【０００９】
これに代わる方法として、前記２つの隣接する対向端部は、接着する態様で、または１個以上のハトメまたはリベットによって互いに接合される。
【００１０】
有利な点として、本発明は、本発明にかかるランヤード組立体のストラップの前記２つの端部がＶ字形に接合されるように構成されて、身体により密着し、もって前記ストラップが容易に捩れることがなくなるような態様で実現され、これによって首に装着しているときにその型押しまたは印刷面が常に完全に人目にさらされることが確実になる。さらにまた、前記Ｖ字形は勝利と成功とを暗示し、これにより本発明はある程度まで美的かつ広告宣伝的効果を高めうる。
【発明を実施するための最良の形態】
【００１１】
本発明をよりよく理解するために、図面を参照して、実施形態の特定の構成および技術的効果を以下に詳細に説明する。図１は、従来技術のランヤードの構成の略図である。図２は、本発明の第１の実施例に従ったランヤードの構成の正面図である。図３は、本発明の第１の実施例に従ったランヤードの構成の背面図である。図４は、本発明のまた他の実施例に従ったランヤードの構成の略図である。
【実施例】
【００１２】
図１に、従来技術における従来式ランヤード、すなわち金属性接続具２によって互いに連結され、首に装着するための大きめのループと、身分証明書３等を繋止するようになされている金属リング４が取り付けられる下部の小さめのループとを形成する２つの隣接する対向重複端部を有するストラップ１からなるランヤードが示されている。
【００１３】
図２および図３に、それぞれ本発明の第１の実施形態に従ったランヤード組立体の形状の正面図及び背面図が示されており、前記ランヤード組立体は、扁平な首掛け用ストラップ１０と、取付／接続要素とからなる。ストラップ１０は、互いにＶ字形に角度をなして接合されることで前記取付／接続要素が配設される係合部分１１を有する閉じたループを形成する２つの隣接する対向端部を有する。
【００１４】
前記係合部分は、ストラップ１０が身体により密着するとともに、容易に捩れることがなくなるような態様に形成される。このため、前記ストラップの型押しまたは印刷面を常に完全に人目にさらすことができる。前記取付要素は、物体が繋止される前記係合部分１１の下側端部に配置されるとともに、さらに嵌合部材１３が移動自在になるよう配設される固定クラスプ１２を含む。前記部材１３を押し下げる一方で、キーチェーン型懐中時計、携帯電話、装飾タグまたはラベル板等の特定の物体を前記部材に取り付けることまたは繋止することができる。これらの２つの隣接する対向端部は、好ましくは１°〜１２０°の角度をなして接合され、本発明を多様な状況に合わせて異なる材料および長さのさまざまなストラップに容易に適合させることができるようになっている。
【００１５】
好ましくは、前記２つの隣接する対向端部または係合部分は、縫い合わせ状態で互いに接合される。前記実施形態によれば、これらの２つの隣接する対向端部は、長手線１４に沿って側方かつ内方に部分的に９０°折り曲げられるとともに、互いに当接せしめられて、Ｖ字形部分を形成するように、また係合部分１１が、その結果として幅が漸減する前面を有するようになる。結果的に、これらの端部は、線１４に沿って長手方向に縫い合わされ、然る後に、前記係合部分１１の下側部分が後方かつ上方に１８０°折り返されて、さらに横線１５に沿って全幅を横切って縫い合わされる。
【００１６】
本発明のまた他の実施形態によれば、前記２つの隣接する対向端部または係合部分１１は、接着的態様か、または１個以上のリベット、またはこれらの組合せによって互いに接合される。
【００１７】
本発明のさらに他の実施形態によれば、前記係合部分１１は、さらにまた、１個以上のハトメによって互いに接合されうる。
【００１８】
図４に、２つの隣接する対向端部がリベット１６によって互いに接合される、本発明のさらにまた他の実施形態が示されている。この場合は、ランヤードを首に装着するための大きめのループ１７は、リベット１６の上に形成され、物体を繋止するための小さめのループ１８は、リベット１６の下にそれぞれ形成される。
【００１９】
本発明は、前記の単なる例証的な実施形態に制限されるものではなく、さらにまた、多くの対応する改変および変形態様が考えられうるとともに、本発明の教示にしたがって当業者により実施されうる一方で、このような改変および変形態様は、本発明の特許請求の範囲内に含まれることを理解されたい。
【図面の簡単な説明】
【００２０】
【図１】図１は従来技術のランヤードの構成の略図である。
【図２】図２は本発明の第１の実施例に従ったランヤードの構成の正面図である。
【図３】図３は本発明の第１の実施例に従ったランヤードの構成の背面図である。
【図４】図４は本発明のまた他の実施例に従ったランヤードの構成の略図である。
【図１】
2007111511.tif 000003
【図２】
2007111511.tif 000004
【図３】
2007111511.tif 000005
【図４】
2007111511.tif 000006